(57)【要約】【課題】目隠しをしたい対象物の大きさによって、不透明領域と透明領域との面積比を規定することで、認識部分と非認識部分との境界領域を明らかにした遮光性装飾シートを提供する。【解決手段】裏面とその裏面に対する表面とを有する、熱可塑性樹脂フィルムからなる透明なベース層と、前記ベース層表面に配置された、濃淡模様を少なくとも一方向に有する装飾層と、前記ベース層裏面に固定的に配置された接着層とを有し、前記濃淡模様は、ＡＳＴＭ  Ｄ１００３−００に準拠して測定されたヘイズが３０％以上である不透明領域と、透明領域とからなり、両領域の面積比を少なくとも一方向に変化させることによって形成されている遮光性装飾シート。【選択図】  図２
2005022096.tif 000002
【特許請求の範囲】
【請求項１】
裏面とその裏面に対する表面とを有する、熱可塑性樹脂フィルムからなる透明なベース層と、
前記ベース層表面に配置された、濃淡模様を少なくとも一方向に有する装飾層と、
前記ベース層裏面に固定的に配置された接着層とを有するシートであって、
前記濃淡模様は、ＡＳＴＭ  Ｄ１００３−００に準拠して測定されたヘイズが３０％以上である不透明領域と、透明領域とからなり、両領域の面積比を少なくとも一方向に変化させることによって形成されていることを特徴とする遮光性装飾シート。
【請求項２】
前記濃淡模様が、不透明領域のみからなる部分、複数の不連続透明領域を含む不透明領域からなる部分、複数の不連続不透明領域を含む透明領域からなる部分、および透明領域のみからなる部分の四部分からなることを特徴とする請求項１に記載の遮光性装飾シート。
【請求項３】
前記濃淡模様が、不透明領域のみからなる部分、複数の不連続透明領域を含む不透明領域からなる部分、および透明領域のみからなる部分の三部分からなることを特徴とする請求項１に記載の遮光性装飾シート。
【請求項４】
前記濃淡模様が、不透明領域のみからなる部分、複数の不連続不透明領域を含む透明領域からなる部分、および透明領域のみからなる部分の三部分からなることを特徴とする請求項１に記載の遮光性装飾シート。
【請求項５】
前記濃淡模様が、不透明領域のみからなる部分、複数の不連続透明領域を含む不透明領域からなる部分、および複数の不連続不透明領域を含む透明領域からなる部分の三部分からなることを特徴とする請求項１に記載の遮光性装飾シート。
【請求項６】
前記濃淡模様が、複数の不連続透明領域を含む不透明領域からなる部分、複数の不連続不透明領域を含む透明領域からなる部分、および透明領域のみからなる部分の三部分からなることを特徴とする請求項１に記載の遮光性装飾シート。
【請求項７】
前記濃淡模様が、複数の不連続透明領域を含む不透明領域からなる部分、および複数の不連続不透明領域を含む透明領域からなる部分の二部分からなることを特徴とする請求項１に記載の遮光性装飾シート。
【請求項８】
前記濃淡模様において、下記式（１）：
Ｓ（％）＝［Ｓ１（ｃｍ２）／１００（ｃｍ２）］×１００          （１）
（ここで、Ｓ１はフィルムの１０ｃｍ×１０ｃｍの部分にある不透明領域の面積（単位：ｃｍ２）である。）
により定義される遮蔽面積Ｓ（％）によって、認識部分と非認識部分との境界領域を決定したことを特徴とする請求項１〜７のいずれかに記載の遮光性装飾シート。
【発明の詳細な説明】
【０００１】
【発明の属する技術分野】
本発明は、遮光性装飾シートに関し、より詳しくは、濃淡模様を少なくとも一方向に設定して形成したことにより意匠性を高められおり、かつ、濃淡模様が不透明領域と透明領域との面積比を所定方向に変化させることによって形成されている遮光性装飾シートに関する。本発明の遮光性装飾シートは、透明領域の面積の割合が高い部分（認識部分）ではその背後にある対象物をシートの手前から認識することが可能であり、不透明領域の面積の割合が高い部分（非認識部分）では目隠し効果を有する。本発明の遮光性装飾シートは、窓ガラス、パーティション、手すりガラスなどの建築物、または乗り物等において、遮光性装飾シートとして利用できる。
【０００２】
【従来の技術】
従来から、窓ガラスやパーティション等の透明体において、目隠しをしたい部分については、印刷を施したシートやマット加工を施したシートを貼り付けることにより視線を遮る施工が為されていた。しかし、これらのシートを窓ガラス等の透明体に貼り付けると、シートを貼り付けた部分とそうでない部分との境界で見た目の差がはっきりと現れてしまい、意匠性に劣るという問題があった。
【０００３】
意匠効果に優れたグラデーション（濃淡の変化）を施したシートが、特許文献１に開示されている。特許文献１に開示されたシートは、グラデーションを施した領域において、任意の２．０ｍｍの測定移動距離で変化する色差ΔＥが、いずれもΔＥ≧２となることを特徴としており、意匠性には優れているが、このシートを貼り付けた被着体において部分的に目隠しをするという用途には適していない。
【０００４】
また、特許文献２には、自動車の水平方向に沿う連続した濃淡模様を設定して形成したことを特徴とする自動車用ウインドガラスシートが開示されている。このシートの濃淡模様は、運転者が車外状況を確実に認識できるように、運転席左右のサイドウインド部、前方のフロントウインド部には濃淡模様のうちの淡い部分がくるように設定されており、一方、リアウインド部、後部座席左右のサイドウインド部には、車外から車内を簡単には覗けないように濃淡模様の濃い部分がくるように設定されている。すなわち、グラデーションを施すことにより濃淡の急激な変化を抑え、これにより意匠性に欠けるという問題点を解消している。また、このグラデーションにより淡い部分と濃い部分との境界上における急激な変化がなくなり、視界を確保して安全性を向上させることもできるとしている。
【０００５】
【特許文献１】
特開２００２−２１９２号公報
【特許文献２】
登録実用新案第３０５９０４７号
【０００６】
【発明が解決しようとする課題】
このような先行技術に開示されたシートを用いることにより、意匠性に優れながら、グラデーションを施した部分においてある程度の視界を確保することが可能であるが、上記シートのグラデーションは連続的に滑らかに次第に淡くなるように設定されているため、グラデーションを施した部分を通してシートの背面にある物体を正確に認識するには不十分であった。これは、設定されたグラデーションは通常、濃淡模様を形成する微小点（人間の目で１つ１つの点を認識するのが困難なほど小さい点）のシートに占める面積比や、微小点の大小によって、濃淡を表現しているからと考えられる。
また、グラデーションは濃い部分から連続的に滑らかに次第に淡くなっているが、次第に淡くなっているどの部分から、シートを通してシートの背面にある物体を認識できるようになるかは実際に透明体にシートを貼り合せてみなければわからなかった。
【０００７】
本発明は、上述した従来技術の問題点を解消して、濃淡模様を、微小点からなるグラデーションではなく、例えば、ＡＳＴＭ  Ｄ１００３−００に準拠して測定されたヘイズが一定値以上である不透明領域と、透明領域との面積比を変化させることにより形成した遮光性装飾シートを提供しようとするものである。さらに、本発明は、目隠しをしたい対象物の大きさによって、不透明領域と透明領域との面積比を規定することで、認識部分と非認識部分との境界領域を明らかにした遮光性装飾シートを提供しようとするものである。
【０００８】
【課題を解決するための手段】
前記課題を解決するために、本発明によれば、
裏面とその裏面に対する表面とを有する、熱可塑性樹脂フィルムからなる透明なベース層と、
前記ベース層表面に配置された、濃淡模様を少なくとも一方向に有する装飾層と、
前記ベース層裏面に固定的に配置された接着層とを有するシートであって、
前記濃淡模様は、ＡＳＴＭ  Ｄ１００３−００に準拠して測定されたヘイズが３０％以上である不透明領域と、透明領域とからなり、両領域の面積比を少なくとも一方向に変化させることによって形成されていることを特徴とする遮光性装飾シートが提供される。
【０００９】
【実施を実施するための最良の形態】
以下、添付図面を参照しながら本発明の遮光性装飾シートを詳細に説明する。
図１は、本発明の遮光性装飾シートの一実施形態の模式的断面図である。図１に示す遮光性装飾シート１０は、熱可塑性樹脂フィルムからなるベース層１と、その表面に配置された装飾層２と、ベース層１の裏面に配置された接着層３とからなる。
【００１０】
熱可塑性樹脂フィルムは、従来技術で周知の熱可塑性樹脂のフィルムのいずれであってもよく、例えば、ポリ塩化ビニル樹脂、塩化ビニル―酢酸ビニル共重合樹脂、アクリル樹脂、ポリプロピレン樹脂、ポリエチレン樹脂、ポリエステル樹脂、ポリオレフィン系樹脂等を用いて作製することができる。これらのポリマーを混合して使用することもできる。ポリ塩化ビニル樹脂には柔軟性を付与するために可塑剤が添加され、可塑剤としてはフタル酸エステル系、アジピン酸系エステル、ポリエステル系が使用されるが、これらに限定されるものではない。また、透明性を確保できる限り、可塑剤、充填材、ガラス繊維などの強化材、難燃剤、酸化防止剤、紫外線吸収剤などの添加剤を、所定の目的に応じて配合して使用することもできる。
【００１１】
熱可塑性樹脂フィルムの厚さは、特に限定されるものではないが、好ましくは１０μｍ以上２００μｍ以下である。２００μｍより厚いと、フィルムの柔軟性が低下し、フィルムの施工性が劣るといった問題が生じ、１０μｍ未満の厚さでは、遮光性装飾シートを作製する際の取り扱いが不便になるといった問題が生じるからである。
【００１２】
装飾層２は、通常、上記熱可塑性樹脂フィルム表面上に着色剤を用いて形成される。装飾層２は、グラビア印刷法、静電印刷法、電子写真画像化法、スクリーン印刷法、インクジェット式印刷法、オフセット印刷法、熱転写による印刷及びその他の適当な印刷技術のいずれかを使用して、上記熱可塑性樹脂フィルムの表面に形成される。装飾層２を形成する着色剤は通常トナーまたはインクである。
【００１３】
図２は、図１の装飾層２をその表面から見た模式的平面図である。濃淡模様が設定されており、その濃淡模様が、不透明領域のみからなる部分２１、複数の不連続透明領域を有する不透明領域からなる部分２２、複数の不連続不透明領域を有する透明領域からなる部分２３、及び透明領域のみからなる部分２４の四部分からなっている。
【００１４】
不透明領域のみからなる部分２１は、実質的に透明領域を有しておらず、この部分を通してシートの背面にある物体を認識することはできない。不透明領域のみからなる部分２１は単色の着色剤を用いて形成されてもよいし、ＡＳＴＭ  Ｄ１００３−００に準拠して測定されたヘイズが３０％以上である限り、複数の着色剤を用いて絵柄、模様等を形成してもよい。ここで、ヘイズとは目視による濁りの度合いを示す指標である。ヘイズが３０％以上としたのは、３０％未満のヘイズでは不透明領域のみからなる部分であっても、その部分を通してシートの背面にある物体を認識できるため、非認識部分を設けることができないからである。
ヘイズは、好ましくは少なくとも３５％、より好ましくは少なくとも７０％である。
【００１５】
複数の不連続透明領域を有する不透明領域からなる部分２２は、人間の目で観察した時に透明であると認識できる透明領域２５を複数有している。不透明領域に対する透明領域の面積比は、不透明領域のみからなる部分２１から離れるにつれて高くなるように設定されている。この透明領域２５の各々の形状は、円形、四角形、三角形または他のいかなる形状であってもよく、異なる形状の透明領域２５が混在していてもよい。透明領域の寸法は、円形では直径を０．１ｍｍ以上、四角形では一辺の長さを０．１ｍｍ以上、または三角形では一辺の長さを０．１ｍｍ以上とするのが好ましい。また、透明領域２５の大きさは、不透明領域のみからなる部分２１から離れるにつれて大きくなるように設定されているのが好ましい。
【００１６】
複数の不透明領域を設けた透明領域からなる部分２３は、ＡＳＴＭ  Ｄ１００３−００に準拠して測定されたヘイズが３０％以上である不透明領域２６を複数有している。透明領域に対する不透明領域の面積比は、透明領域からなる部分２４に近づくにつれて低くなるように設定されている。この不透明領域２６の形状は、円形、四角形、三角形または他のいかなる形状であってもよいが、円形で０．１ｍｍ以上の直径、四角形で一辺の長さが０．１ｍｍ以上、または三角形で一辺の長さが０．１ｍｍ以上を有しているものが好ましい。また、不透明領域２６の大きさは透明領域からなる部分２４に近づくにつれて小さくなるように設定されているのが好ましい。
【００１７】
この遮光性装飾シートを透明体に貼り付ける際に、遮光性装飾シートの背面にある人間の顔や手足等、比較的大きな対象物を認識できるようにするには、視点と対象物とを結んだ直線上にある遮光性装飾シートの遮蔽面積Ｓ（％）（後記実施例で定義する）は９０％未満となるように貼り付けるのが適当である。
一方、文字等比較的小さく複雑な形状の対象物を認識できるようにするには、上記遮蔽面積Ｓ（％）は５０％未満となるように貼り付けるのが適当である。
【００１８】
本発明における濃淡模様は上記４部分からなることが好ましいが、本発明の効果を損なわない限り、不透明領域のみからなる部分２１、複数の不連続透明領域を有する不透明領域からなる部分２２、及び透明領域のみからなる部分２４の３部分からなる濃淡模様；不透明領域のみからなる部分２１、複数の不連続不透明領域を有する透明領域からなる部分２３、及び透明領域のみからなる部分２４の３部分からなる濃淡模様；不透明領域のみからなる部分２１、複数の不連続透明領域を有する不透明領域からなる部分２２、及び複数の不連続不透明領域を有する透明領域からなる部分２３の３部分からなる濃淡模様；もしくは複数の不連続透明領域を有する不透明領域からなる部分２２、複数の不連続不透明領域を有する透明領域からなる部分２３、及び透明領域のみからなる部分２４の３部分からなる濃淡模様を用いることもできる。
あるいは、複数の不連続透明領域を有する不透明領域からなる部分２２、および複数の不連続不透明領域を有する透明領域からなる部分２３の２部分からなる濃淡模様を用いることもできる
加えて、透明領域のみからなる部分２４の両側にそれぞれ配置された、複数の不連続不透明領域を有する透明領域からなる部分２３、複数の不連続透明領域を有する不透明領域からなる部分２２および不透明領域のみからなる部分２１の七部分からなる濃淡模様、または不透明領域のみからなる部分２１の両側にそれぞれ配置された、複数の不連続透明領域を有する不透明領域からなる部分２２、複数の不連続不透明領域を有する透明領域からなる部分２３および透明領域のみからなる部分２４の七部分からなる濃淡模様、あるいはこれら濃淡模様の組み合わせも用いることができる。
【００１９】
着色剤を用いずに装飾層を形成する方法としては、ベース層の表面全体に金属蒸着処理を施した後、透明領域となる部分から金属層をエッチング処理により除去して、目的の装飾層を形成する方法、着色したカッティングフィルムを所定の形状に切断した後ベース層の表面貼り合わせて不透明領域を形成する方法等が挙げられるが、これらに限定されるものではない。
【００２０】
遮光性装飾シートを被着体に接着するための接着層３は、例えば以下のようにして作製できる。
まず、剥離面を持つライナーを用意する。このライナーの剥離面に、粘着性ポリマーを含む塗料（シートの接着層形成用の接着剤塗料）を塗布、乾燥して接着層を形成する。次いで、接着層を有するライナーを、接着層とベース層の裏面とが接触するように、ベース層に重ね合わせる。これによりライナー付接着層がベース層の裏面に形成される。ライナーは、遮光性装飾シートを被着体に接着する直前に剥離すればよい。
【００２１】
ライナーは、通常、紙またはプラスチックフィルムから形成される。紙ライナーは、通常、紙の表面に、ポリエチレンコート、シリコーンコート等の剥離コート（剥離層）を積層して形成される。また、シリコーン剥離コートを積層する場合、通常、紙の上にクレーコート、ポリエチレンコート等のアンダーコートを積層した後、剥離コートを積層する。
【００２２】
接着層は、たとえば、粘着性ポリマーを含有する接着剤の塗膜から形成できる。好ましい接着剤は、粘着性ポリマーと粘着性ポリマーを架橋する架橋剤とを含有する。本明細書において粘着性ポリマー（ｓｅｌｆ−ａｄｈｅｒｅｎｔ  ｐｏｌｙｍｅｒ）とは、常温（約２５℃）で粘着性を示すポリマーである。粘着性ポリマーとしては、アクリル系ポリマー、ポリウレタン、ポリオレフィン、ポリエステル等が使用できる。
【００２３】
粘着性ポリマーの合成の１例について、アクリル系ポリマーを例にとって説明する。
まず、第１モノマーとして、アクリル性不飽和酸（例えば、アクリル酸、メタクリル酸、イタコン酸、マレイン酸等）やアクリロニトリル等の極性（メタ）アクリルモノマーを用意する。この第１モノマーと、第２モノマーとしてのアクリルモノマー（例えば、アルキルアクリレート、例えば、イソオクチルアクリレート、ブチルアクリレート、２−メチルブチルアクリレート、２−エチルヘキシルアクリレート、イソノニルアクリレート等）とを混合し、モノマー混合物を調製する。この様にして調製したモノマー混合物を、通常の重合方法、たとえば、溶液重合、乳化重合、塊状重合等を用い、所定の分子量の粘着性ポリマーを合成する。
【００２４】
粘着性ポリマーを架橋するのに架橋剤を用いる場合、架橋剤の添加量は、架橋剤の種類にもよるが、粘着性ポリマー１００質量部に対して、通常０．０２〜２質量部、好適には０．０３〜１質量部である。架橋剤としては、イソシアネート化合物、メラミン化合物、ポリ（メタ）アクリレート化合物、エポキシ化合物、アミド化合物、ビスアミド化合物［イソフタロイルビス（２−メチルアジリジン）等の二塩基酸のビスアジリジン誘導体］等が使用できる。
【００２５】
接着層の厚さは、通常２０〜１００μｍ、好適には２５〜８０μｍである。また、接着層は、本発明の効果を損なわない限り、粘着付与剤、弾性微小球、粘着性ポリマー微小球、結晶性ポリマー、無機粉末、紫外線吸収剤等の添加剤を含有していても良い。
【００２６】
本発明の遮光性装飾シートは、熱可塑性樹脂フィルムの裏面に設けた接着層を介して、各種被着体、例えば、建築物の窓ガラスおよびパーティション、乗り物の窓ガラス等に貼り合わせることができる。
【００２７】
【実施例】
以下に実施例を挙げて本発明をさらに詳しく説明するが、本発明は以下の実施例によりなんら制限されるものではない。
【００２８】
（実施例１）
まず、ベース層１およびその裏面に形成された接着層３を含むフィルムとして、住友スリーエム株式会社製  スコッチティント窓ガラス用フィルム  （商品名：ＳＨ２ＣＬ）を用意した。このフィルムの可視光線透過率（ＪＩＳ５７５９に準ずる３８０ｎｍから７８０ｎｍの可視光線透過率）は８８％であった。
このフィルムの表面（ベース層１の表面）に、グラビア印刷法により、市販のインク（東洋包材株式会社製（商品名：ミルキーマット））を使用して印刷を施し、遮光性装飾シートを得た。印刷模様は、図２の左側の図に模式的に示すように、不透明領域のみからなる部分２１、複数の不連続透明領域を有する不透明領域からなる部分２２、複数の不連続不透明領域を有する透明領域からなる部分２３、及び透明領域のみからなる部分２４の四部分からなっていた。図２の右側のグラフは、各領域のグラデーション方向の長さ（ただし、図中の各領域の長さは実際の長さと一致していない）と、各領域における不透明領域の割合（％）を示している。
【００２９】
不透明領域のみからなる部分２１は、長さ２７が２００ｍｍ、幅が６００ｍｍであった。このシートの不透明領域の、ＡＳＴＭ  Ｄ１００３−００に準拠して測定されたヘイズは９７％であった。
複数の不連続透明領域を有する不透明領域からなる部分２２は、長さ２８が５７０ｍｍ、幅が６００ｍｍであった。透明領域２５の形状は円形で、幅方向で各円形状の透明領域の直径は等しく、長さ方向では、不透明領域のみからなる部分２１から離れるにしたがって、透明領域２５の直径は増大していた。透明領域２５の直径は最も小さいもので０．１ｍｍ、最も大きいもので３ｍｍであった。
【００３０】
複数の不連続透明領域を有する不透明領域からなる部分２３は、長さ２９が４９０ｍｍ、幅が６００ｍｍであった。不透明領域２６の形状は円形で、幅方向で各円形状の不透明領域の直径は等しく、長さ方向では、透明領域のみからなる部分２４に近づくにしたがって、不透明領域２６の直径は減少していた。不透明領域２６の直径は最も小さいもので１ｍｍ、最も大きいもので３ｍｍであった。
透明領域からなる部分２４の長さ３０は１０ｍｍであった。
【００３１】
上記で製造した遮光性装飾シートを、接着層を介して透明な間仕切りガラスに貼り付け、常温で２４時間放置した後、以下の試験を行なった。
（目隠し効果）
まず、観察者の視点と、遮光性装飾シートを貼り付けた間仕切りガラスとの距離Ａを２ｍ、この間仕切りガラスと対象物との距離Ｂを０．５ｍまたは０．３ｍとなるように、間仕切りガラス、対象物を設置した（図３参照）。このとき、対象物は、▲１▼一辺１０ｃｍの立方体、または▲２▼２ｃｍ角の文字とした。また、観察者側の照度を１００ｌｘ（ルクス）、対象物側の照度を５０ｌｘとした。
そして、観察者の視点と対象物とを結んだ直線上にある上記遮光性装飾シートの一部における遮蔽面積（下記式（１）で定義する）と、そのシートの一部を通して対象物を見たときに、その物体の輪郭が認識できるか否かを調べた。結果を表１に示す。
【００３２】
遮蔽面積Ｓ（％）＝［Ｓ１（ｃｍ２）／１００（ｃｍ２）］×１００  （１）
（ここで、Ｓ１はフィルムの１０ｃｍ×１０ｃｍの部分にある不透明領域の面積（単位：ｃｍ２）である。）
【００３３】
（実施例２）
インクを帝国インキ株式会社製（商品名  ＥＧ−３０４１８ＳＰ（特白））とし、不透明領域のヘイズを９９％とした以外は実施例１と同様にして遮光性装飾シートを作製した。そして、実施例１と同様に、観察者の視点と対象物とを結んだ直線上にある上記遮光性装飾シートの一部における遮蔽面積と、そのシートの一部を通して対象物を見たときに、その物体の輪郭が認識できるか否かを調べた。結果を表２に示す。
【００３４】
（実施例３）
不透明領域のヘイズを７１％とした以外は実施例２と同様にして遮光性装飾シートを作製した。そして、実施例１と同様に、観察者の視点と対象物とを結んだ直線上にある上記遮光性装飾シートの一部における遮蔽面積と、そのシートの一部を通して対象物を見たときに、その物体の輪郭が認識できるか否かを調べた。結果を表３に示す。
【００３５】
（実施例４）
不透明領域のヘイズを３５％とした以外は実施例２と同様にして遮光性装飾シートを作製した。そして、実施例１と同様に、観察者の視点と対象物とを結んだ直線上にある上記遮光性装飾シートの一部における遮蔽面積と、そのシートの一部を通して対象物を見たときに、その物体の輪郭が認識できるか否かを調べた。結果を表４に示す。
【００３６】
（比較例１）
不透明領域のヘイズを１２％とした以外は実施例１と同様にして遮光性装飾シートを作製した。そして、実施例１と同様に、観察者の視点と対象物とを結んだ直線上にある上記遮光性装飾シートの一部における遮蔽面積と、そのシートの一部を通して対象物を見たときに、その物体の輪郭が認識できるか否かを調べた。このシートを用いた場合、ヘイズの値が３０％未満であるため、遮蔽面積が１００％の部分（不透明領域のみからなる部分）を通して観察したときも、対象物の輪郭が認識できた。
【００３７】
【表１】
2005022096.tif 000003
【００３８】
【表２】
2005022096.tif 000004
【００３９】
【表３】
2005022096.tif 000005
【００４０】
【表４】
2005022096.tif 000006
【図面の簡単な説明】
【図１】本発明の遮光性装飾シートの一実施形態の模式的断面図である。
【図２】図１の遮光性装飾シートの模式的平面図、並びに各領域のグラデーション方向の長さおよび不透明領域の割合を示すグラフである。
【図３】実施例において目隠し効果を評価する際の、観察者と、遮光性装飾シートを貼り付けた間仕切りガラスと、対象物の配置を示す図である。
【符号の説明】
１０：遮光性装飾シート、１：ベース層、２：装飾層、３：接着層。
２１：不透明領域のみからなる部分、２２：複数の不連続透明領域を有する不透明領域からなる部分、２３複数の不連続不透明領域を有する透明領域からなる部分、２４透明領域のみからなる部分、２５：透明領域、２６：不透明領域。
【図１】
2005022096.tif 000007
【図２】
2005022096.tif 000008
【図３】
2005022096.tif 000009